(57)【要約】【課題】画像形成のためのジョブを実行するプロセッサーの温度上昇を、冷却装置で強制冷却をするに際し、タイムラグによる実質的な冷却の遅れを予め見越して冷却動作の開始を制御し、急激な温度上昇についても確実に冷却を行なう画像形成装置及びその方法を提供する。【解決手段】プロセッサー１６の温度を温度センサー１８によって検出して冷却用ファン１７により冷却する画像形成装置１はプロセッサー１６のジョブの実行開始後における温度上昇率を算出する温度上昇率算出部２０８と、温度上昇率が予め設定した所定値以上である否かを判別する第１の判別部２０９と、温度上昇率が所定値以上であると判別されたときにプロセッサー１６に大きな温度上昇をもたらすジョブの実行中であるか否かを判別する第２の判別部２１０と、プロセッサー１６がジョブの実行中であると判別された場合に冷却用ファン１７を作動させる冷却動作制御部２１１とを備える。【選択図】図２
2007150605.tif 000002
【特許請求の範囲】
【請求項１】
画像処理等の各種処理を行うプロセッサーを、該プロセッサーの温度を検出する温度センサーの検出出力に従い冷却手段によって冷却する画像形成装置において、
前記温度センサーで検出された温度に基づいて前記プロセッサーの温度上昇率を算出する温度上昇率算出手段と、
前記算出された温度上昇率が予め設定した所定値以上である否かを判別する第１の判別手段と、
前記第１の判別手段により温度上昇率が所定値以上であると判別された場合に、前記プロセッサーに大きな温度上昇をもたらすジョブに係る処理の実行中であるか否かを判別する第２の判別手段と、
前記プロセッサーが前記大きな温度上昇をもたらすジョブの実行中であると判別された場合、前記冷却手段を作動させる冷却動作制御手段と、
を備えていることを特徴とする画像形成装置。
【請求項２】
前記第２の判別手段は、前記プロセッサーが画像形成に係るジョブの処理を実行中であるか否かを判別することを特徴とする請求項１に記載の画像形成装置。
【請求項３】
前記冷却動作制御手段は、前記温度上昇率が前記予め設定した所定値以上でなくても、前記プロセッサーの温度が予め設定した所定値以上の場合に、前記冷却手段を作動させることを特徴とする請求項１又は２に記載の画像形成装置。
【請求項４】
冷却手段によって冷却されるプロセッサーにより画像形成のためのジョブを実行する画像形成方法において、
前記プロセッサーの温度上昇率を算出するステップと、
前記ステップにより算出された温度上昇率が予め設定した所定値以上である否かを判別する第１の判別のステップと、
前記第１の判別のステップによって温度上昇率が所定値以上であると判別された場合、前記プロセッサーに大きな温度上昇をもたらすジョブに係る処理の実行中であるか否かを判別する第２の判別のステップと、
前記第２の判別のステップにより前記プロセッサーが前記ジョブの実行中であると判別された場合に、前記冷却手段を作動させる第１の作動のステップと、
を有していることを特徴とする画像形成方法。
【請求項５】
前記第２の判別のステップは、前記プロセッサーが画像形成に係るジョブの処理を実行中であるか否かを判別することを特徴とする請求項４に記載の画像形成方法。
【請求項６】
前記画像形成方法は、更に、前記第１の判別のステップにおいて前記所定値以上の温度上昇率が検出されない場合に、所定値以上の温度が検出されたときに前記冷却手段を作動させる第２の作動のステップを有していることを特徴とする請求項４又は５に記載の画像形成方法。
【発明の詳細な説明】
【技術分野】
【０００１】
本発明は、メモリ編集、画像編集等の画像処理を行なって画像データを形成するプロセッサーを備え、このプロセッサーの発熱を冷却する冷却装置を有する画像形成装置及びその冷却方法に関する。
【背景技術】
【０００２】
画像形成装置において、編集処理が多重化すると、基板（ＩＣ）の温度が上昇する。従来、この上昇を避けるため温度センサーを使用して基板等の温度を常にモニターし、冷却用ファンを制御する手段、あるいは上昇しやすい部分に常時冷却用ファンを当てる手段を有する画像形成装置がある。このような構成のものにあっては、温度センサーを冷却用ファン制御のために取付けることになり、温度センサーをＣＰＵが常にモニターしなければならない。また、温度センサー取付けによる機体のコストアップ、電源容量等の問題があった。また、冷却用ファンの電源を最初から入れておく構成においては、冷却用ファンを常時オンしているために、画像処理が行われていない時のように温度上昇がなく、冷却用ファンを回す必要がない場合でも、冷却用ファンを回すことになり、電源容量、騒音等の問題があった。
【０００３】
そこで、これらを改善した従来技術として下記の特許文献１（特開平９−２２２８４２号公報）に開示された画像形成装置が提案されている。この画像形成装置は、メモリ編集、画像編集等の各種の処理を行なう処理手段と、この処理手段の温度上昇を冷却する冷却手段と、処理手段で行なわれる各種処理が多重処理されている場合の多重状態を計数する計数手段と、この計数手段の計数値と予め定められた条件値とを比較する比較手段と、この比較手段の比較結果に応じて冷却手段のオン／オフを制御する手段とを備えて構成したものである。
【０００４】
具体的には、画像形成装置に設けられたメモリ編集、画像編集等を行なう制御回路が組み込まれた基板（ＩＣ等）の近傍に冷却手段である冷却用ファンを設ける。処理手段であるメモリ編集部において、画像編集部、圧縮・伸張部、拡大・縮小回転部等からの割り込みが発生した際、メモリ管理制御部は割り込み制御部からの割込みに対して割り込みビットオンを判断し、ＣＰＵ制御部に内蔵している計数手段である多重化状態カウンターのカウントをカウントアップする。比較手段であるＣＰＵ制御部は、多重化状態カウンターの多重化カウント値が予め定められた条件値と比較し、この比較結果でオン／オフ手段であるファンオン／オフ情報制御部で冷却用ファンをオン／オフする。
【０００５】
このように、特許文献１に開示されている画像形成装置は、温度センサーを必要せずにＣＰＵの負担を軽減でき、また、必要以上に冷却用ファンを回すことがなく、騒音、電源容量等を削減することができる。
【０００６】
【特許文献１】特開平９−２２２８４２号公報（段落〔０００２〕〜〔０００４〕、〔０００７〕、〔００３０〕〜〔００３３〕）
【発明の開示】
【発明が解決しようとする課題】
【０００７】
しかしながら、上記特許文献１で示す従来技術は、強制冷却しなければならないと判断して冷却用ファンをオンにしても、実際に冷却効果が現れるまでにはタイムラグがあるために時間がかかる。そのため、急激な温度上昇の場合には、ＣＰＵが高温になってしまい暴走状態に至ってしまうという惧があった。
【０００８】
そこで、本発明は、上記の問題点に鑑みなされたものであり、画像形成のためのジョブを実行するプロセッサーの温度上昇に対し、冷却装置で強制冷却を行なう際に、タイムラグによる実質的な冷却の遅れを予め見越して冷却動作の開始を制御し、急激な温度上昇についても確実に冷却を行なう画像形成装置及びその方法を提供することを目的とする。
【課題を解決するための手段】
【０００９】
前記課題を解決するために、本願の請求項１に係る発明は、画像処理等の各種処理を行うプロセッサーを、該プロセッサーの温度を検出する温度センサーの検出出力に従い冷却手段によって冷却する画像形成装置において、
前記温度センサーで検出された温度に基づいて前記プロセッサーの温度上昇率を算出する温度上昇率算出手段と、
前記算出された温度上昇率が予め設定した所定値以上である否かを判別する第１の判別手段と、
前記第１の判別手段により温度上昇率が所定値以上であると判別された場合に、前記プロセッサーに大きな温度上昇をもたらすジョブに係る処理の実行中であるか否かを判別する第２の判別手段と、
前記プロセッサーが前記大きな温度上昇をもたらすジョブの実行中であると判別された場合、前記冷却手段を作動させる冷却動作制御手段と、
を備えていることを特徴とする。
【００１０】
また、本願の請求項２に係る発明は、請求項１に記載の画像形成装置に係り、前記第２の判別手段は、前記プロセッサーが画像形成に係るジョブの処理を実行中であるか否かを判別することを特徴とする。
【００１１】
また、本願の請求項３に係る発明は、請求項１又は２に記載の画像形成装置に係り、前記冷却動作制御手段は、前記温度上昇率が前記予め設定した所定値以上でなくても、前記プロセッサーの温度が予め設定した所定値以上の場合に、前記冷却手段を作動させることを特徴とする。
【００１２】
また、本願の請求項４に係る発明は、冷却手段によって冷却されるプロセッサーにより画像形成のためのジョブを実行する画像形成方法において、
前記プロセッサーの温度上昇率を算出するステップと、
前記ステップにより算出された温度上昇率が予め設定した所定値以上である否かを判別する第１の判別のステップと、
前記第１の判別のステップによって温度上昇率が所定値以上であると判別された場合、前記プロセッサーに大きな温度上昇をもたらすジョブに係る処理の実行中であるか否かを判別する第２の判別のステップと、
前記第２の判別のステップにより前記プロセッサーが前記ジョブの実行中であると判別された場合に、前記冷却手段を作動させる第１の作動のステップと、
を有する画像形成方法であることを特徴とする。
【００１３】
また、本願の請求項５に係る発明は、請求項４に係る画像形成方法において、前記第２の判別のステップは、前記プロセッサーが画像形成に係るジョブの処理を実行中であるか否かを判別することを特徴とする。
【００１４】
また、本願の請求項６に係る発明は、請求項４又は５に係る画像形成方法において、前記画像形成方法は、更に、前記第１の判別のステップにおいて前記所定値以上の温度上昇率が検出されない場合に、所定値以上の温度が検出されたときに前記冷却手段を作動させる第２の作動のステップを有していることを特徴とする。
【発明の効果】
【００１５】
本願の請求項１に係る発明の画像形成装置は、温度上昇率判別手段によってその温度上昇を算出し、この温度上昇率が所定値以上であることを前記第１の判別手段によって判別し、その結果に基づいて第２の判別手段により、現時点で負荷が大きく、大きな温度上昇をもたらすジョブをプロセッサーが処理中であると判別されると、前記冷却動作制御手段が前記冷却装置を作動させる。そのため、前記プロセッサーは異常に高温になる前に自動的に冷却装置によって強制冷却されるので、前記温度センサーによるモニターで前記冷却装置を作動させたときに生じるタイムラグによる冷却開始の遅れを確実に排除し、前記プロセッサーを常に正常な温度の範囲で動作させることができる。しかも、急激な温度上昇であっても前記ジョブの実行が短時間で終了するために異常な温度に至らないことが判別される場合には、前記冷却装置を作動させることによる強制的な冷却を行なわない。そのため、不必要に前記冷却装置を作動させることがないので、消費電力を最小限に抑えることができるだけでなく、前記冷却装置の動作回数を最小限に抑えて劣化を防止した画像形成装置を提供できる。特に、前記冷却装置が冷却用ファンである場合は騒音の発生を最小にすることができる著しい効果を呈する。
【００１６】
また、本願の請求項２に係る発明の画像形成装置は、プロセッサーの温度上昇率が大きく、且つプロセッサーに与える負荷が大きく、大きな温度上昇をもたらす印刷ジョブ等の画像形成に係る処理をプロセッサーが現時点で実行中である場合に、冷却装置を作動させ、プロセッサーを冷却する。これにより、特に印刷ジョブ等の実行時等、プロセッサーにおける大きな発熱が予期される場合に、プロセッサーの温度が異常な温度に達する前に冷却を開始し、プロセッサーを正常な温度の範囲内で使用することができる。
【００１７】
また、本願の請求項３に係る発明の画像形成装置は、プロセッサーの温度上昇率が小さい場合に、プロセッサーの温度を温度センサーによってモニターし、異常温度に至る前に前記冷却作動制御手段でもって前記冷却装置を作動させる。そのため、プロセッサーの温度が異常な温度に達する前に自動的に冷却手段を作動させ、プロセッサーを冷却することができるようになる。
【００１８】
また、本願の請求項４に係る発明の画像形成方法は、前記温度上昇率を算出するステップによってその温度上昇率を算出し、この温度上昇率が所定値以上であることを前記第１の判別のステップによって判別し、その判別結果に基づいて前記第２の判別手段により前記プロセッサーに大きな温度上昇をもたらすジョブに係る処理の実行中であると判別されると、前記冷却装置が動作する。そのため、前記プロセッサーは異常に高温になる前に自動的に冷却装置によって強制冷却されるので、温度センサー等によるモニターで前記冷却装置を作動させたときのタイムラグによる冷却開始の遅れを確実に排除し、前記プロセッサーを常に正常な温度の範囲で動作させることができる。
しかも、上記本発明の画像形成方法は、急激な温度上昇であっても前記ジョブの実行が短時間で終了するために異常な温度に至らないことが判別される場合、前記冷却装置を作動させることによる強制的な冷却を行なわない。そのため、不必要に前記冷却装置を作動させることがないので、消費電力を最小限に抑えることができるだけでなく、前記冷却装置の動作回数を最小限に抑えて劣化を防止した画像形成方法を提供できる。特に、前記冷却装置が冷却用ファンである場合は騒音の発生を最小にすることができる著しい効果を呈する。
【００１９】
また、本願の請求項５に係る発明の画像形成方法は、プロセッサーの温度上昇率が大きく、且つプロセッサーに与える負荷が大きく、大きな温度上昇をもたらす印刷ジョブ等の画像形成に係る処理をプロセッサーが現時点で実行中である場合に、冷却装置を作動させ、プロセッサーを冷却する。これにより、特に印刷ジョブ等の実行時等、プロセッサーにおける大きな発熱が予期される場合に、プロセッサーの温度が異常な温度に達する前に冷却を開始し、プロセッサーを正常な温度の範囲内で使用することができる。
【００２０】
また、本願の請求項６に係る発明の画像形成方法は、請求項４又は請求項５に係る画像形成方法において、更に、前記第１の判別のステップにおいて前記所定値以上の温度上昇率が検出されない場合に、所定値以上の温度が検出されたときに前記冷却手段を作動させる第２の作動のステップを有している。このように温度上昇率が小さい場合には、温度センサー等の温度のモニターでもってプロセッサーが異常な温度になる前に前記冷却装置を作動させため、不必要に前記冷却装置を作動させることがないので、消費電力を最小限に抑えることができるだけでなく、前記冷却装置の動作回数を最小限に抑えて劣化を防止した画像形成方法を提供できる。特に、前記冷却装置が冷却用ファンである場合は騒音の発生を最小にすることができる著しい効果を呈する。
【発明を実施するための最良の形態】
【００２１】
以下、本発明の具体例を実施例及び図面を用いて詳細に説明する。
【実施例１】
【００２２】
以下、本発明の実施例について図面を参照して説明する。図１は本発明の実施例における画像形成装置を示す概略図、図２は本発明の実施例における画像形成装置のブロック図、図３は本発明の実施例における画像形成装置の動作を示すフローチャート、図４は本発明の実施例における画像形成装置の冷却特性を示す説明図である。
【００２３】
図１において本発明が適用される機器としての画像形成装置１は、最上部に設けた自動原稿送り装置１０と、スキャナー１１と、プリンター１２と、プリンター１２の右方に設けた給紙カセット１３と、プリンター１２の左方に設けた排紙トレイ１４と、プリント基板１５と、プリント基板１５上に配置された後述する各種のデータ処理や制御を行なうプロセッサー１６と、プロセッサー１６を冷却するための冷却装置を構成する冷却用ファン１７と、プロセッサー１６の温度を測定するための温度センサー１８とから構成されている。
【００２４】
プリンター１２は、半導体レーザの出力ビームにより感光される感光ドラム１２１と、給紙カセット１３から給紙され感光ドラム１２１において現像画像が転写された用紙を搬送する搬送ベルト１２２と、搬送ベルト１２２の下流側に配され、画像が転写された用紙に現像画像を定着する定着部１２３と、定着部１２３から排紙トレイ１４に用紙を排出する排紙用ローラ１２４と、定着部１２３から送出された用紙の裏面に印刷するために用紙を反転させ再び感光ドラム１２１に搬送する反転用搬送路１２５とから構成されている。
【００２５】
図２において画像形成装置１の回路構成を説明する。画像形成装置１は、操作画面や操作パネル等からなる操作部２０１と、原稿の画像を光学的に読み取って、読み取りデータを出力するスキャナー部２０２と、スキャナー部２０２の読み取りデータを印刷のための画像データとして画像処理すると共に、画像データを縮小／拡大、回転等の編集を行なう画像処理部２０３と、これらの画像データを印刷するプリンター部２０４と、全体的な制御を行なう主制御部２０５と、画像データを一旦保持する記憶部２０６と、温度センサー１８によって測定された温度を定期的にモニターする温度モニター部２０７とから構成されている。
【００２６】
また、画像形成装置１は、温度モニター部２０７によって得られた測定データによって温度上昇率を算出する温度上昇率算出部２０８と、温度上昇率算出部２０８で算出された温度上昇率が予め設定した所定値以上であるか否かを判別する第１の判別部２０９と、第１の判別部２０９で所定以上の温度上昇率であると判別されたときにプロセッサー１６が画像形成のためのジョブの実行中であるか否かを判別する第２の判別部２１０とを備えている。
【００２７】
更に、画像形成装置１は、冷却用ファン１７の電源をオン／オフすることによって作動・制御する冷却動作制御部２１１を備える。冷却動作制御部２１１は、温度モニター部２０７によってモニターされているプロセッサー１６の温度が予め設定した所定値を超えたときに冷却用ファン１７を作動させる他、第２の判別部２１０においてジョブの実行中であると判別された際に、冷却用ファン１７を作動させる。
【００２８】
温度モニター部２０７におけるモニター動作は、定期的に行われ、温度センサー１８によって測定された温度データを、主制御部２０５のクロック信号に同期しつつサンプリングすることにより行われる。また、温度上昇率算出部２０８は、サンプリングされた温度データから温度上昇率をデジタルデータとして定期的に算出する。
【００２９】
プロセッサー１６は画像処理部２０３、プリンター部２０４、主制御部２０５を動作させるＣＰＵで構成されており、外観上は一個のパッケージ内に収まった状態になっている。
【００３０】
上述した本発明の実施例による画像形成装置１の動作について図３のフローチャートと図４の冷却特性を示す説明図を参照して説明する。
【００３１】
まず、ユーザは操作部２０１を操作して主制御部２０５を作動させ、所望のジョブの実行を開始する。ジョブの実行が開始されるとプロセッサー１６の温度が上昇する。この温度は温度センサー１８によって測定され、測定された温度は温度モニター部２０７によって定期的にモニターされる。温度上昇率算出部２０８は、ステップＳ１で示すように温度モニター２０７部によって得られたデータから上昇率を算出する。算出された温度上昇率は、ステップＳ２に示すように第１の判別部２０９によって設定値以上か否かが判別される。
【００３２】
図４において、プロセッサー１６がジョブの実行を開始すると、プロセッサー１６の温度が時間の経過とともに上昇する。ジョブの実行開始から所定の時間が経過した判別時点ｔでは、温度上昇率算出部２０８によってプロセッサー１６の温度上昇率を算出する。一点鎖線ａ１で示されるジョブＸは、プロセッサー１６に大きな負荷を与えるジョブであり、プロセッサー１６の温度は急激に上昇する。尚、このジョブＸの実行中の温度上昇率をＡとする。そして、このまま温度が上昇し続ければ、早い時点でプロセッサー１６の処理動作が暴走状態となる温度Ｔ１に至る。この温度Ｔ１以上はプロセッサー１６を使用することが不適な禁止領域である。一方、一点鎖線ｂ１で示されるジョブＹは、プロセッサー１６に与える負荷が比較的軽度なもので、プロセッサー１６の温度上昇は緩やかであり、温度上昇率Ｂで温度が上昇する。この場合、温度Ｔ１に至るまでに時間を要する。
【００３３】
第１の判別部２０９は、ステップＳ２で示すように、温度上昇率算出部２０８で算出された温度上昇率が予め設定した値以上か否かを判別する。図４に示したジョブＸとジョブＹの場合、ジョブＸの温度上昇率Ａは設定値以上であり、ジョブＹの温度上昇率Ｂは設定値以下であるとする。従って、ジョブＸの場合、設定値以上の温度上昇率で温度が上昇しているものと判別される。その後、第２の判別部２１０は、ステップＳ３で示すようにプロセッサー１６が温度上昇率ＡをもたらすジョブＸを実行中か否かを判別する。
【００３４】
ここで、ジョブＸとしては、例えば画像データを縮小／拡大、カラー調整等の複雑な処理を行なうものが挙げられ、プロセッサー１６に大きな負荷を与えるものである。これに対し、ジョブＹとしては、例えばデータの編集等を行なわずにそのまま印刷を行なうものであって、プロセッサー１６に与える負荷が少ないものである。
【００３５】
ステップＳ３においてプロセッサー１６がジョブＸを実行中であると判別されると、ステップＳ４で示すように冷却動作制御部２１１が冷却用ファン１７の電源スィッチをオンにして冷却用ファン１７を作動させ、強制冷却が開始される。冷却用ファン１７によるプロセッサー１６の冷却が開始されると、図４における二点鎖線ａ２で示すように、しばらくの間プロセッサー１６の温度は上昇を続けるが、一定の時間が経過すると徐々に冷却効果が現れるようになり、温度は禁止領域に到達することなく下降を始め、効果的な冷却を実施できる。
【００３６】
その後、ステップＳ５で示すように、主制御部２０５は印刷ジョブが終了したか否かを検出する。印刷ジョブが終了したことを検出すると、ステップＳ６で示すように冷却動作制御部２１１は冷却用ファン１７の電源スイッチをオフにし、冷却用ファン１７を非作動状態にする。
【００３７】
ステップＳ３において、第２の判別部２１０がジョブＸの実行を行なっていないと判別した場合は、ステップＳ７で示すように、冷却動作制御部２１０は冷却用ファン１７を作動させることなく非作動状態のままとする。このとき、プロセッサー１６における温度上昇率は大きく、前回検出した温度よりも上昇しているが、プロセッサー１６ではジョブの処理動作をしていないため、今後は温度上昇がないものと推定できる。したがって、プロセッサー１６は、図４における鎖線ａ３で示すように、自然に冷却されてプロセッサー１６の温度上昇は禁止領域に到達する前に停止する。従って、温度上昇率が大きくても強制冷却をする必要がない。
【００３８】
また、ジョブＹの場合、ステップＳ１において算出された温度上昇率は、所定値以下のＹであるため、ステップＳ２において、第１の判別部２０９は、プロセッサー１６における温度上昇率は所定値以下であると判別し、冷却動作制御部２１１は判別時点ｔでは制御を行なわない。しかし、ジョブＹの実行が図４における一点鎖線ｂ１で示すように継続される場合、プロセッサー１６の温度が禁止領域に到達してしまう。そこで、ステップＳ８で示すように温度センサー１８による温度測定によりプロセッサー１６の温度が禁止領域の温度Ｔ１より低い所定の温度Ｔ２に至ったか否かを検出する。プロセッサー１６の温度が温度Ｔ２に到達した場合、ステップＳ９で示すように冷却動作制御部２１１が冷却用ファン１７を作動させる。
【００３９】
このようにして冷却用ファン１７が作動して強制冷却が開始されと、図４における鎖線ｂ２で示すように、プロセッサー１６が強制冷却により徐々に冷却され、温度上昇は温度が禁止領域に到達する前に停止する。
【００４０】
その後、ステップＳ１０で示すように、主制御部２０５は印刷ジョブが終了したか否かを検出する。印刷ジョブが終了したことが検出されると、ステップＳ１１で示すように、冷却動作制御部２１１は冷却用ファン１７の電源スイッチをオフにして冷却用ファン１７を非作動状態にする。
【００４１】
なお、強制冷却を行なうとプロセッサー１６の温度は低下するので、例えば温度Ｔ２より低い値の温度で冷却動作制御部２１１が冷却用ファン１７の電源スィッチをオフにして冷却用ファン１７を非作動状態に転換するように温度設定を行なっておく。
【００４２】
上述した本発明の実施例の画像形成装置によれば、プロセッサー１６がジョブの実行を開始すると温度上昇率算出部２０８によってその温度上昇を算出し、この温度上昇率が所定値以上であることを第１の判別部２０９によって判別することができる。そして、その判別に続き、第２の判別部２１０はプロセッサー１６が現時点でジョブの実行中であるか否かを判別する。ジョブの実行中であると判別すると、冷却動作制御部２１１が冷却用ファン１７を作動させる。そのため、プロセッサー１６は異常に高温になる前に自動的に冷却用ファン１７によって強制冷却される。これにより、温度センサー１８によるモニターのみで冷却用ファン１７を作動させたときのタイムラグによる冷却開始の遅れを確実に排除することができる。また、プロセッサー１６は常に正常な温度の範囲で動作することが可能となる。
【００４３】
また、第２の判別部２１０の判別のステップにより、急激な温度上昇があった場合であってもジョブの実行が短時間で終了し異常な温度に至らない場合を判別できる。この場合には冷却用ファン１７を作動させない。また、温度上昇率が小さい場合は、温度センサー１８によってモニターし異常温度に至る前に冷却作動制御部２１１でもって冷却用ファン１７を作動させる。そのため、不必要に冷却用ファン１７を作動させることがないので、消費電力を最小限に抑えることができる。しかも、冷却用ファン１７の動作回数を最小限に抑えて劣化を防止できる。
【００４４】
尚、本発明の実施例においては、冷却装置として冷却用ファン１７を用いたが、本発明はこれに限定されることなく、例えばペルチェ効果を有する半導体素子で構成した冷却装置等種々のものを用いてもよい。
【００４５】
尚、また、本発明の実施例においては、図４で示す温度の上昇が説明の便宜上、直線的な状態を例としてあげたが、例えば、二次曲線状で変化する等の種々の曲線で示される温度変化をすることがある。従って、本発明においては、二次曲線等で変化する場合には、その状態に応じた判別時点ｔ、設定値、温度Ｔ２等を予め設定すればよい。
【図面の簡単な説明】
【００４６】
【図１】図１は本発明の実施例における画像形成装置を示す概略図である。
【図２】図２は本発明の実施例における画像形成装置のブロック図である。
【図３】図３は本発明の実施例における画像形成装置の動作を示すフローチャートである。
【図４】図４は本発明の実施例における画像形成装置の冷却特性を示す説明図である。
【符号の説明】
【００４７】
１              画像形成装置
１０            自動原稿送り装置
１１            スキャナー
１２            プリンター
１３            給紙カセット
１４            排紙トレイ
１５            プリント基板
１６            プロセッサー
１７            冷却用ファン
１８            温度センサー
１２１          感光ドラム
１２２          搬送ベルト
１２３          定着部
１２４          排紙用ローラ
１２５          反転用搬送路
２０１          操作部
２０２          スキャナー部
２０３          画像処理部
２０４          プリンター部
２０５          主制御部
２０６          記憶部
２０７          温度モニター部
２０８          温度上昇率算出部
２０９          第１の判別部
２１０          第２の判別部
２１１          冷却動作制御部
【図１】
2007150605.tif 000003
【図２】
2007150605.tif 000004
【図３】
2007150605.tif 000005
【図４】
2007150605.tif 000006